(57)【要約】【課題】既存平板瓦が葺設された屋根上に、新規平板瓦を重ね葺きするにあたり、既存の平板瓦が破損しにくく、且つ新たな平板瓦に浮き上がりが生じにくい重ね葺き屋根構造を提供すること。【解決手段】本発明の重ね葺き屋根構造は、第一の新規平板瓦１１の棟側端部と、第一の既存平板瓦２１の軒側端部との間に間隙３が設けられ、間隙３に接着剤４が配置され、第二の新規平板瓦１２が、第一の新規平板瓦１１上から第一の既存平板瓦２１上に亘って配置されると共に、接着剤４で接着されている。【選択図】図１
2015031016.tif 000002
【特許請求の範囲】
【請求項１】
既存平板瓦が葺設された屋根上に、新規平板瓦を重ね葺きした屋根構造において、
第一の新規平板瓦の棟側端部と、第一の既存平板瓦の軒側端部との間に間隙が設けられ、
前記間隙に接着剤が配置され、
第二の新規平板瓦が、前記第一の新規平板瓦上から前記第一の既存平板瓦上に亘って配置されると共に、前記接着剤で接着されていることを特徴とする重ね葺き屋根構造。
【請求項２】
前記接着剤が、発泡性の接着剤であることを特徴とする請求項１に記載の重ね葺き屋根構造。
【請求項３】
前記新規平板瓦のうち、最も軒側に配置されている新規平板瓦と、前記既存平板瓦のうち、最も軒側に配置されている既存平板瓦との間に、調整瓦が介在していることを特徴とする請求項１又は２に記載の重ね葺き屋根構造。
【請求項４】
前記新規平板瓦のうち、軒棟方向と直交する方向に隣設する２つの新規平板瓦間の突き付け部が、前記既存平板瓦のうち、軒棟方向と直交する方向に隣接するいずれの二つの既存平板瓦間の突き付け部とも重なっていないことを特徴とする請求項１乃至３のいずれか一項に記載の重ね葺き屋根構造。
【請求項５】
前記第二の新規平板瓦に、この第二の新規平板瓦を貫通するピンが設けられ、前記ピンが前記第一の新規平板瓦の棟側端部と接することを特徴とする請求項１乃至４のいずれか一項に記載の重ね葺き屋根構造。
【請求項６】
既存平板瓦が葺設された屋根上に、新規平板瓦を重ね葺きする方法において、
前記屋根に第一の新規平板瓦を敷設すると共に、この第一の新規平板瓦の棟側端部と、第一の既存平板瓦の軒側端部との間に間隙を設ける工程と、
前記間隙に接着剤を配置する工程と、
第二の新規平板瓦を、前記第一の新規平板瓦上から前記第一の既存平板瓦上に亘って配置すると共に、前記接着剤で接着する工程とを備えることを特徴とする重ね葺き方法。
【請求項７】
前記第一の既存平板瓦と、この第一の既存平板瓦上に重なっている第二の既存平板瓦との間に押さえ込み治具の一端を差し込むと共に、前記押さえ込み治具の他端を前記第二の新規平板瓦上に押し当てることで、前記第二の新規平板瓦を押さえ込み、接着状態を保持する工程を備えることを特徴とする請求項６に記載の重ね葺き方法。
【請求項８】
前記第二の新規平板瓦に、この第二の新規平板瓦を貫通するピンを設け、前記ピンが前記第一の既存平板瓦の棟側端部と接するようにすることを特徴とする請求項６又は７に記載の重ね葺き方法。
【発明の詳細な説明】
【技術分野】
【０００１】
本発明は、既存平板瓦が葺設された屋根上に、新規平板瓦を重ね葺きした屋根構造、及び重ね葺き方法に関するものである。
【背景技術】
【０００２】
従来より、屋根に平板瓦が葺かれた建築物において、屋根を全面的に葺き替える場合、既設の平板瓦を剥がして新たに平板瓦を葺き直すようにしていた。しかし、葺き直しには、作業量及び作業日数が掛かり、更に、廃材の処理費用も掛かるという問題があった。
【０００３】
上記の問題を解決するため、例えば、特許文献１では、既存の平板瓦を取り除くことなく、既存の平板瓦の重ね段差に合わせて、新たな平板瓦を葺くことが提案されている。
【０００４】
この場合、既存の平板瓦に対する新たな平板瓦の固定には、既存の平板瓦に直接釘打ち固定されることが一般的である。
【先行技術文献】
【特許文献】
【０００５】
【特許文献１】特開平４−３９２１３
【発明の概要】
【発明が解決しようとする課題】
【０００６】
しかし、既存の平板瓦に直接釘打ち固定すると、釘打ちの際に、既存の平板瓦が破損したり、釘打ちが甘く、新たな平板瓦に浮きが生じ、クラックが発生してしまうなど、屋根としての性能である強度や防水性などが低下してしまうという問題があった。
【０００７】
本発明は上記の点に鑑みてなされたものであり、既存平板瓦が葺設された屋根上に、新規平板瓦を重ねて葺設するにあたり、既存平板瓦が破損しにくく、新規平板瓦に浮きが生じにくい重ね葺き屋根構造、及び重ね葺き方法を提供することを目的とするものである。
【課題を解決するための手段】
【０００８】
本発明の第一の態様に係る重ね葺き屋根構造は、既存平板瓦が葺設された屋根上に、新規平板瓦を重ね葺きした屋根構造において、
第一の新規平板瓦の棟側端部と、第一の既存平板瓦の軒側端部との間に間隙が設けられ、
前記間隙に接着剤が配置され、
第二の新規平板瓦が、前記第一の新規平板瓦上から前記第一の既存平板瓦上に亘って配置されると共に、前記接着剤で接着されていることを特徴とするものである。
【０００９】
本発明の第二の態様に係る重ね葺き屋根構造は、第一の態様において、前記接着剤が、発泡性の接着剤である。
【００１０】
本発明の第三の態様に係る重ね葺き屋根構造は、第一又は第二の態様において、前記新規平板瓦のうち、最も軒側に配置されている新規平板瓦と、前記既存平板瓦のうち、最も軒側に配置されている既存平板瓦との間に、調整瓦が介在している。
【００１１】
本発明の第四の態様に係る重ね葺き屋根構造は、第一乃至三のいずれか一つの態様において、前記新規平板瓦のうち、軒棟方向と直交する方向に隣設する２つの新規平板瓦間の突き付け部が、前記既存平板瓦のうち、軒棟方向と直交する方向に隣接するいずれの二つの既存平板瓦間の突き付け部とも重なっていない。
【００１２】
本発明の第五の態様に係る重ね葺き屋根構造は、第一乃至四のいずれか一つの態様において、前記第二の新規平板瓦に、この第二の新規平板瓦を貫通するピンが設けられ、前記ピンが前記第一の新規平板瓦の棟側端部と接する。
【００１３】
本発明の第六の態様に係る重ね葺き方法は、既存平板瓦が葺設された屋根上に、新規平板瓦を重ね葺きする方法において、
前記屋根に第一の新規平板瓦を敷設すると共に、この第一の新規平板瓦の棟側端部と、第一の既存平板瓦の軒側端部との間に間隙を設ける工程と、
前記間隙に接着剤を配置する工程と、
第二の新規平板瓦を、前記第一の新規平板瓦上から前記第一の既存平板瓦上に亘って配置すると共に、前記接着剤で接着する工程とを備えることを特徴とするものである。
【００１４】
本発明の第七の態様に係る重ね葺き方法は、第六の態様において、前記第一の既存平板瓦と、この第一の既存平板瓦上に重なっている第二の既存平板瓦との間に押さえ込み治具の一端を差し込むと共に、前記押さえ込み治具の他端を前記第二の新規平板瓦上に重ねることで、前記第二の新規平板瓦を押さえ込み、接着状態を保持する工程を備える。
【００１５】
本発明の第八の態様に係る重ね葺き方法は、第六又は第七の態様において、前記第二の新規平板瓦に、この第二の新規平板瓦を貫通するピンを設け、前記ピンが前記第一の既存平板瓦の棟側端部と接するようにする。
【発明の効果】
【００１６】
本発明では、既存平板瓦と新規平板瓦とを、接着剤で固定するため、既存平板瓦にクラックが生じにくく、且つ新規平板瓦に浮き上がりが生じにくい。
【図面の簡単な説明】
【００１７】
【図１】本発明の一実施形態である重ね葺き屋根構造の要部の概略の断面図である。
【図２】同上の重ね葺き屋根構造における、屋根の軒側端部の断面図である。
【図３】同上の重ね葺き屋根構造における、屋根の軒側の断面図である。
【図４】同上の重ね葺き屋根構造における、吊り子の斜視図である。
【図５】図４に示す吊り子の変形例を示す斜視図である。
【図６】本発明の変形例の重ね葺き屋根構造における、屋根の軒側の断面図である。
【図７】本発明の一実施形態である重ね葺き屋根構造の平面図である。
【図８】本発明の一実施形態である重ね葺き方法における、新規平板瓦の接着保持状態を示す断面図である。
【発明を実施するための形態】
【００１８】
本実施形態に係る重ね葺き屋根構造は、既存平板瓦２が葺設された屋根上に、新規平板瓦１を重ね葺きした屋根構造において、
第一の新規平板瓦１１の棟側端部と、第一の既存平板瓦２１の軒側端部との間に間隙３が設けられ、
間隙３に接着剤４が配置され、
第二の新規平板瓦１２が、第一の新規平板瓦１１上から第一の既存平板瓦２１上に亘って配置されると共に、接着剤４で接着されている。
【００１９】
本実施形態に係る重ね葺き屋根構造では、接着剤４が、発泡性の接着剤であってもよい。
【００２０】
本実施形態に係る重ね葺き屋根構造では、新規平板瓦１のうち、最も軒側に配置されている新規平板瓦１３（以降、一段目の新規平板瓦と表示する）と、既存平板瓦２のうち、最も軒側に配置されている既存平板瓦２３（以降、一段目の既存平板瓦と表示する）との間に、調整瓦５が介在していてもよい。
【００２１】
本実施形態に係る重ね葺き屋根構造では、新規平板瓦１のうち、軒棟方向と直交する方向に隣設する２つの新規平板瓦１間の突き付け部が、既存平板瓦２のうち、軒棟方向と直交する方向に隣接するいずれの二つの既存平板瓦２間の突き付け部とも重なっていない。
【００２２】
本実施形態に係る重ね葺き屋根構造では、第二の新規平板瓦１２に、この第二の新規平板瓦１２を貫通するピン６が設けられ、ピン６が第一の新規平板瓦１１の棟側端部と接してもよい。
【００２３】
本実施形態に係る重ね葺き方法は、既存平板瓦２が葺設された屋根上に、新規平板瓦１を重ね葺きする方法において、
前記屋根に第一の新規平板瓦１１を敷設すると共に、この第一の新規平板瓦１１の棟側端部と、第一の既存平板瓦２１の軒側端部との間に間隙３を設ける工程と、
間隙３に接着剤４を配置する工程と、
第二の新規平板瓦１２を、第一の新規平板瓦１１上から第一の既存平板瓦２１上に亘って配置すると共に、接着剤４で接着する工程とを備える。
【００２４】
本実施形態に係る重ね葺き方法は、第一の既存平板瓦２１と、この第一の既存平板瓦２１上に重なっている第二の既存平板瓦２２との間に押さえ込み治具７の一端７２（以降、第二端部と表示する）を差し込むと共に、押さえ込み治具７の他端７１（以降、第一端部と表示する）を第二の新規平板瓦１２上に押し当てることで、第二の新規平板瓦１２を押さえ込み、接着状態を保持する工程を備えてもよい。
【００２５】
本実施形態に係る重ね葺き方法は、第二の新規平板瓦１２に、この第二の新規平板瓦１２を貫通するピン６を設け、ピン６が第一の新規平板瓦１１の棟側端部と接してもよい。
【００２６】
尚、本明細書において、軒側とは、屋根の傾斜に沿った斜め下側のことであり、棟側とは、屋根の傾斜に沿った斜め上側のことであり、軒棟方向とは、屋根の傾斜に沿った方向である。
【００２７】
以下、本実施形態を更に詳しく説明する。
【００２８】
まず、本実施形態における既存平板瓦２の葺設構造について説明する。
【００２９】
既存平板瓦２は、平面視略矩形状のスレート瓦である。既存平板瓦２は、全て同一の形状に形成される。既存平板瓦２は、屋根下地９上において、図７に示すように、屋根の軒棟方向に複数葺設される。更に、既存平板瓦２は、屋根下地９上において、図７に示すように、屋根の軒棟方向と直交する方向に複数葺設される。
【００３０】
この既存平板瓦２の葺設構造において、既存平板瓦２（例えば図７に示される既存平板瓦２４）の棟側端部の上には、その軒棟方向の棟側に位置する別の既存平板瓦２（例えば図７に示される既存平板瓦２５）の軒側端部が重なっている。この軒棟方向に隣り合う二つの既存平板瓦２のうち、棟側の既存平板瓦２の、軒棟方向と直交する方向の配置位置は、軒側の既存平板瓦２の配置位置に対して軒棟方向と直交する方向に、既存平板瓦２の軒棟方向と直交する方向の働き幅ａの１／２だけずれている。なお、本実施形態のように１／２ずらす以外に、１／３など任意のずらし幅を選択することことができる。
【００３１】
続いて、既存平板瓦２が葺設された屋根上に、新規平板瓦１を重ね葺きする方法及び重ね葺きした構造について説明する。
【００３２】
本実施形態において、新規平板瓦１は、既存平板瓦２と同様平面視略矩形状のスレート瓦であり、外形寸法においても既存平板瓦２と略同じ縦幅及び横幅を有する。尚、新規平板瓦１の寸法形状は、これに限られるものではない。
【００３３】
まず、第一の調整瓦５１、及び第二の調整瓦５２を葺設し、更に、調整瓦５１、５２に重ねて、一段目の新規平板瓦１３を葺設する工程について説明する。
【００３４】
図３に示すように、屋根下地９上の最も軒側には、一段目の既存平板瓦２３が葺設され、一段目の既存平板瓦２３の軒棟方向の棟側には一段目の既存平板瓦２３の棟部に二段目の既存平板瓦２４の軒部を重ねて二段目の既存平板瓦２４が葺設され、二段目の既存平板瓦２４の軒棟方向の棟側には二段目の既存平板瓦２４の棟部に三段目の既存平板瓦２５の軒部を重ねて三段目の既存平板瓦２５が葺設され、更に、三段目の既存平板瓦２５の軒棟方向の棟側には三段目の既存平板瓦２５の棟部に四段目の既存平板瓦２６の軒部を重ねて四段目の既存平板側２６が葺設されている。更に、一段目の既存平板瓦２３と屋根下地９との間には、一段目の既存平板瓦２３の傾斜を調整するスタータ９０が挿入されている。
【００３５】
本実施形態では、既存平板瓦２上に新規平板瓦１を重ねて葺設するにあたり、既存平板瓦２のうち一段目の既存平板瓦２３上に、第一の調整瓦５１及び第二の調整瓦５２が配置される。
【００３６】
本実施形態では、図２に示すように、調整瓦５１、５２（第一の調整瓦５１、及び第二の調整瓦５２）を配置する前に、軒先カバー２３０及び防水テープ２３３を設置する。
【００３７】
軒先カバー２３０は、一段目の既存平板瓦２３とスタータ９０の軒側端部を覆う覆い部２３１と、覆い部から下方に突出する垂下部２３２とを備える部材である。軒先カバー２３０は、例えば、釘等を用いて、一段目の既存平板瓦２３上に取り付けられる。
【００３８】
一段目の既存平板瓦２３上に軒先カバー２３０を取り付けた後、一段目の既存平板瓦２３上から軒先カバー２３０上に亘って、防水テープ２３３を張り付ける。これにより、防水テープ２３３が、一段目の既存平板瓦２３と軒先カバー２３０との間の防水性を高めることができる。
【００３９】
一段目の既存平板瓦２３上に、軒先カバー２３０及び防水テープ２３３を設置したのち、第一の調整瓦５１を配置する。
【００４０】
本実施形態では、第一の調整瓦５１及び第二の調整瓦５２は、新規平板瓦１と同様の材料で成形されたスレート瓦である。
【００４１】
第一の調整瓦５１は平面視略矩形状に形成され、軒棟方向と直交する方向の寸法は、既存平板瓦２及び新規平板瓦１の軒棟方向と直交する方向の働き幅ａと略同じである。第一の調整瓦５１の軒棟方向の寸法は、既存平板瓦２の軒棟方向の働き幅ｂより短い。
【００４２】
第二の調整瓦５２の軒棟方向と直交する方向の寸法は、第一の調整瓦５１と略同じである。第二の調整瓦５２の軒棟方向の寸法は、既存平板瓦２の軒棟方向と直交する方向の働き幅ｂより長く、かつ働き幅ｂの２倍よりも短い。
【００４３】
第一の調整瓦５１及び第二の調整瓦５２は、図７に示すように、屋根の軒棟方向と直交する方向に複数葺設される。
【００４４】
第一の調整瓦５１の、軒棟方向と直交する方向の配置位置は、一段目の既存平板瓦２３の配置位置を基準として軒棟方向と直交する方向に、既存平板瓦２の働き幅ａの１／４だけずれている。
【００４５】
第一の調整瓦５１の棟側端部と、二段目の既存平板瓦２４の軒側端部との間には、間隙３０が設けられる。
【００４６】
一段目の既存平板瓦２３上に、第一の調整瓦５１が配置された後、この第一の調整瓦５１を固定する。
【００４７】
本実施形態では、図３に示すように、第一の調整瓦５１と吊り子８が同時に一段目の既存平板瓦２３上に固定される。
【００４８】
吊り子８は、図４に示すように、固定部８０、第一の支持片８２、及び第二の支持片８３を備える。固定部８０の軒棟方向の寸法は、第一の調整瓦５１の釘止め箇所よりも棟側まで設けられるよう設計されている。第一の支持片８２は、固定部８０の軒側端部から下方に突出し、更に先端部を棟側に折り返したフック型の形状を有する。第二の支持片８３は、固定部８０の軒側端部から上方に突出し、更に先端部を棟側に折り返したフック型の形状を有する。
【００４９】
本実施形態では、吊り子８の第一の支持片８２の先端部はフック型の形状を有するが、これに限られるものではない。例えば、図５に示すように、第一の支持片８２の先端部が棟側に折り返されず、下方に突出していてもよい。
【００５０】
吊り子８は、その第一の支持片８２に第一の調整瓦５１の軒側端部を挿入して当接し、その固定部８０が第一の調整瓦５１上に配置され、固定部８０に釘８００が打込まれることにより吊り子８は第一の調整瓦５１と同時に屋根下地９に固定され、更に、第一の調整瓦５１の軒側端部が第一の支持片８２で挿入支持される。また異なる態様として、第一の支持片８２を一段目の既存平板瓦２３の軒側端部と当接する位置まで設けることにより、第一の調整瓦５１と一段目の既存平板瓦２３の軒先端部の位置を容易に揃えることができるものである。
【００５１】
一段目の既存平板瓦２３上に第一の調整瓦５１が葺設された後、間隙３０に接着剤４が配置される。接着剤４は、間隙３０における軒棟方向と直交する方向に、間隔を空けながら複数箇所に配置される。これにより、接着剤間に隙間が形成されるため、雨水が第二の調整瓦５２の裏面に回りこんだ場合も、軒側に排水することができるものである。接着剤４は、発泡性の接着剤であることが好ましい。接着剤４としては、例えば、硬質ウレタン系の発泡性の接着剤を用いることが好ましい。
【００５２】
接着剤４が発泡性の接着剤であることにより、接着剤４が間隙３０の内部で適度に膨張して第二の調整瓦５２と一段目の既存平板瓦２３とを、間隙３０に配置された接着剤４を介して接着することができる。
【００５３】
間隙３０に接着剤４が配置された後、第二の調整瓦５２が配置される。第二の調整瓦５２は、第一の調整瓦５１上から二段目の既存平板瓦２４上に亘って配置される。第二の調整瓦５２は、間隙３０に配置された接着剤４によって接着されると共に棟側端部が吊り子８の第二の支持片８３に引っ掛けられることで支持される。
【００５４】
第二の調整瓦５２の、軒棟方向と直交する方向の配置位置は、第一の調整瓦５１の配置位置に対して軒棟方向と直交する方向に、既存平板瓦２の働き幅ａの１／２だけずれている。また、第二の調整瓦５２の棟側端部と三段目の既存平板瓦２５の軒側端部との間には、間隙３が設けられる。
【００５５】
第二の調整瓦５２が第一の調整瓦５１上に葺設された後、一段目の新規平板瓦１３が葺設される。一段目の新規平板瓦１３は、複数の新規平板瓦１のうち、最も軒側に配置される瓦である。
【００５６】
一段目の新規平板瓦１３は、第二の調整瓦５２上から、三段目の既存平板瓦２５上に亘って配置される。一段目の新規平板瓦１３の、軒棟方向と直交する方向の配置位置は、第二の調整瓦５２の配置位置に対して軒棟方向と直交する方向に、既存平板瓦２の働き幅ａの１／２だけずれている。
【００５７】
第二の調整瓦５２上に一段目の新規平板瓦１３を配置するにあたり、間隙３に接着剤４が配置される。これにより、接着剤間に隙間が形成されるため、雨水が一段目の新規平板瓦１３の裏面に回りこんだ場合も、軒側に排水することができるものである。接着剤４は、間隙３における軒棟方向と直交する方向に、間隔を空けながら複数箇所に配置される。接着剤４は、発泡性の接着剤であることが好ましい。接着剤４としては、例えば、硬質ウレタン系の発泡接着剤を用いることが好ましい。
【００５８】
接着剤４が発泡性の接着剤であることにより、接着剤４が間隙３の内部で適度に膨張して、一段目の新規平板瓦１３と二段目の既存平板瓦２４とを、間隙３に配置された接着剤４を介して接着することができる。
【００５９】
一段目の新規平板瓦１３には、一段目の新規平板瓦１３を貫通するピン６が設けられ、このため一段目の新規平板瓦１３の位置合わせがされる。ピン６は、一段目の新規平板瓦１３の所定位置に、軒棟方向と直交する方向に並んで、複数設けられている。一段目の新規平板瓦１３を第二の調整瓦５２上に配置する際に、ピン６が第二の調整瓦５２の棟側端部と接するようにする。これにより、一段目の新規平板瓦１３のピン６を設けた位置と第二の調整瓦５２の棟側端部を一致させ、瓦の位置合わせを容易に行うことができ、更に、屋根の勾配が急である場合に、一段目の新規平板瓦１３が滑り落ちることを防ぐことができる。
【００６０】
一段目の新規平板瓦１３の棟側端部と四段目の既存平板瓦２６の軒側端部との間には、間隙３が設けられる。
【００６１】
ピン６によって位置合わせされた一段目の新規平板瓦１３は、接着剤４によって、接着される。
【００６２】
本実施形態では、発泡性の接着剤４の膨張による一段目の新規平板瓦１３の浮き上がりを防止するため、図８に示すように、押さえ込み治具７を利用する。
【００６３】
押さえ込み治具７は、間隙３の軒棟方向の幅よりも長い板状の部材である。押さえ込み治具７は、例えば、弾性を有する金属板等から形成される。押さえ込み治具７はその第一端部７１に、上方に突出した取っ手７３を有する。このため、押さえ込み治具７の差し込み時及び取り除き時において、作業者が取っ手７３を手で掴むことで押さえ込み治具７を保持することが容易となり、このため、押さえ込み治具７の差し込み、及び取り外しが容易となる。
【００６４】
一段目の新規平板瓦１３を接着剤４で接着するにあたり、三段目の既存平板瓦２５の棟側の上部と四段目の既存平板瓦２６の軒側の下部との間に、押さえ込み治具７の第一端部７１とは反対側の第二端部７２を差し込むと共に、押さえ込み治具７の第一端部７１を一段目の新規平板瓦１３上に押し当て、一段目の新規平板瓦１３の浮き上がりを抑制する。接着剤４による一段目の新規平板瓦１３の接着が完了すると、押さえ込み治具７を、取っ手７３を保持することで、取り除く。
【００６５】
このようにして、一段目の新規平板瓦１３が葺設されると、一段目の新規平板瓦１３の軒側部分の高さが、第一の調整瓦５１及び第二の調整瓦５２で調整されるため、一段目の新規平板瓦１３と三段目の既存平板瓦２５との間に隙間が生じにくくなる。このため、防水性が向上すると共に、踏み割れが起こりにくくなる。
【００６６】
一段目の新規平板瓦１３が葺設された後、更にその棟側に複数の新規平板瓦１が順次葺設される。新規平板瓦１を葺設するにあたり、既に葺設された新規平板瓦１（第一の新規平板瓦１１）の棟側に、別の新規平板瓦１（第二の新規平板瓦１２）を葺設する工程について、図１を参照して説明する。
【００６７】
ここで、軒側に葺設された新規平板瓦を第一の新規平板瓦１１、第一の新規平板瓦１１の棟部側に重ねて葺設される新規平板瓦を第二の新規平板瓦１２、第二の新規平板瓦１２の棟部側が重ねて葺設される既存平板瓦を第一の既存平板瓦２１、第一の既存平板瓦２１の棟部側に重ねて葺設される既存平板瓦を第二の既存平板瓦２２とする。
【００６８】
図１に示すように、第一の既存平板瓦２１の棟側には、第一の既存平板瓦２１に重ねて第二の既存平板瓦２２が葺設されている。第一の新規平板瓦１１は、第一の既存平板瓦２１に対して軒側に葺設されている。第一の新規平板瓦１１の棟側端部と、第一の既存平板瓦２１の棟側端部との間には、間隙３が設けられている。
【００６９】
第二の新規平板瓦１２は、第一の新規平板瓦１１上から第一の既存平板瓦２１上に亘って配置される。
【００７０】
第二の新規平板瓦１２の、軒棟方向と直交する方向の配置位置は、第一の既存平板瓦２１の配置位置に対して軒棟方向と直交する方向に、既存平板瓦２の軒棟方向と直交する方向の働き幅ａの１／２だけずれている。
【００７１】
第一の新規平板瓦１１上に第二の新規平板瓦１２を配置する前に、間隙３に接着剤４が配置される。接着剤４は、間隙３における軒棟方向と直交する方向に、間隔を空けながら複数箇所に配置される。接着剤４は、発泡性の接着剤であることが好ましい。接着剤４としては、例えば、硬質ウレタン系の発泡接着剤を用いることが好ましい。
【００７２】
接着剤４が発泡性の接着剤であることにより、接着剤４が間隙３の内部で適度に膨張して第二の新規平板瓦１２と既存平板瓦２０とを、間隙３に配置された接着剤４を介して接着することができる。
【００７３】
第二の新規平板瓦１２には、第二の新規平板瓦１２を貫通するピン６が設けられ、このため、第二の新規平板瓦１２の位置合わせがされる。ピン６は、第二の新規平板瓦１２の所定位置に、軒棟方向と直交する方向に並んで、複数設けられる。第二の新規平板瓦１２を第一の新規平板瓦１１上に配置する際に、ピン６の先端部が第一の新規平板瓦１１の棟側端部と接するようにする。これにより、第二の新規平板瓦１２のピン６を設けた位置と第一の新規平板瓦１１の棟側端部を一致させ、瓦の位置合わせを容易に行うことができ、更に、屋根の勾配が急である場合に、第二の新規平板瓦１２が滑り落ちることを防ぐことができる。
【００７４】
ピン６によって位置合わせされた第二の新規平板瓦１２は、接着剤４によって、接着される。
【００７５】
本実施形態では、発泡性の接着剤４の膨張による第二の新規平板瓦１２の浮き上がりを抑制するため、図８と同様に、第一の既存平板瓦２１の棟側の上部と第二の既存平板瓦２２の軒側の下部との間に、押さえ込み治具７の第二端部７２を差し込むと共に、押さえ込み治具７の第一端部７１を第二の新規平板瓦１２上に押し当て、第二の新規平板瓦１２の浮き上がりを抑制する。
【００７６】
接着剤４による、第二の新規平板瓦１２の接着が完了すると、押さえ込み治具７を取り除く。これらの工程を繰り返すことで、複数の新規平板瓦１が、屋根の軒側から棟側まで多段に葺設される。尚、第二の新規平板瓦１２の接着が完了するとピン６を取り除いてもよく、このピン６を他の新規平板瓦１を葺設する際に用いることができる。
【００７７】
上記のようにして葺設された新規平板瓦１の軒棟方向と直交する方向に隣設する新規平板瓦１間の突き付け部は、既存平板瓦２の軒棟方向と直交する方向に隣接するいずれの既存平板瓦２間の突き付け部とも重ならないようにすることが好ましい。
【００７８】
本実施形態では、第一の調整瓦５１の軒棟方向と直交する方向の配置位置が、一段目の既存平板瓦２３の配置位置に対して軒棟方向と直交する方向に、既存平板瓦２の働き幅ａの１／４だけずらすことにより、全ての新規平板瓦１の軒棟方向と直交す方向の配置位置も、既存平板瓦２の働き幅ａの１／４だけずらすことができ、このため、突き付け部同士が重ならないようになっている。
【００７９】
新規平板瓦１の突き付け部と、既存平板瓦２の突き付け部が重ならないことにより、屋根の防水性、耐踏み割れ性等を向上することができる。
【００８０】
尚、本実施形態では、新規平板瓦１と既存平板瓦２の突き付け部とが既存平板瓦２の働き幅ａの１／４だけずれているが、これに限られるものではなく、新規平板瓦１と既存平板瓦２の突き付け部とが重ならないようにすればよい。
【００８１】
本実施形態では、第一の調整瓦５１及び第二の調整瓦５２を固定するために、吊り子８を併用しているが、吊り子８を利用せずに、第一の調整瓦５１及び第二の調整瓦５２を固定してもよい。例えば、図６に示す変形例では、第一の調整瓦５１が、一段目の既存平板瓦２３に、釘５１０が打込まれて直接．固定される。
【００８２】
また、第二の調整瓦５２を固定するにあたり、予め第一の調整瓦５１及び一段目の既存平板瓦２３に下孔５２０を形成する。第一の調整瓦５１の上面に、下孔５２０を塞ぐ補助シート５２１を張り付けた後、第二の調整瓦５２が配置され、下孔５２０に対して釘５２２を打ち込むことにより、第二の調整瓦５２が固定される（図６）。
【００８３】
本変形例では、第二の調整瓦５２が下孔５２０形成後に釘５２２を打ち込むことで固定されるため、一段目の既存平板瓦２３に破損が生じにくい。また、下孔５２０に張り付けた補助シート５２１により、防水性が確保される。
【００８４】
本変形例でも第二の調整瓦５２を敷設した後、先の実施形態と同様に、一段目の新規平板瓦１３及び、他の新規平板瓦１が順次葺設される。
【００８５】
また、本実施形態においては、一段目の既存平板瓦２３と一段目の新規平板瓦１３との間に、調整瓦５を２枚介在させているが、これに限られるものではない。例えば、本実施形態において、第二の調整瓦５２に代えて一段目の新規平板瓦１３を用いてもよい。この場合、調整瓦５が１枚のみ介在することになる。
【符号の説明】
【００８６】
１    新規平板瓦
１１  第一の新規平板瓦
１２  第二の新規平板瓦
２    既存平板瓦
２１  第一の既存平板瓦
３    間隙
４    接着剤
【図１】
2015031016.tif 000003
【図２】
2015031016.tif 000004
【図３】
2015031016.tif 000005
【図４】
2015031016.tif 000006
【図５】
2015031016.tif 000007
【図６】
2015031016.tif 000008
【図７】
2015031016.tif 000009
【図８】
2015031016.tif 000010